(57)【要約】【課題】  構造上、施工に関してより高い便宜が図られた構造を有する水切り板の提供。【解決手段】  前垂れ部１ａと凹溝１ｂを備えた外壁パネル１の下端を受けるベース片３ａと、当該ベース片３ａに続いて略直角に下方へ屈曲した締結片３ｂと、当該締結片３ｂに続いてベース片３ａが存する側へ屈曲し下方へ傾斜する段状の排水水切り片３ｃとからなり、前記ベース片３ａは、その先端から上向きに屈曲するレール部３ａａを備え、前記排水水切り片３ｃは、その傾斜方向へ外壁パネル１の幅を超えない長さ突出する遮断部と、当該遮断部と段違いに形成し同傾斜方向へ外壁パネル１の外へ迫出す長さ突出する水反し部３ｃｃと、その先端に続いて略垂下する水切り部３ｃｄを階段状に備え、前記レール部３ａａは、先端を折り返し重ねた補強部を備え、前記水切り部３ｃｄは、先端部をその屋内側へＶ字状に折り曲げた返り部３ｃｅを備える水切り板。【選択図】      図１
0003157883.tif 000002
【実用新案登録請求の範囲】
【請求項１】
前垂れ部（１ａ）と凹溝（１ｂ）を備えた外壁パネル（１）の下端を受けるベース片（３ａ）と、
当該ベース片（３ａ）に続いて略直角に下方へ屈曲した締結片（３ｂ）と、
当該締結片（３ｂ）に続いてベース片（３ａ）が存する側へ屈曲し下方へ傾斜する段状の排水水切り片（３ｃ）とからなり、
前記ベース片（３ａ）は、その先端から上向きに屈曲するレール部（３ａａ）を備え、
前記排水水切り片（３ｃ）は、
締結片（３ｂ）からその傾斜方向へベース片（３ａ）上の外壁パネル（１）の幅を超えない長さ突出する横遮断部（３ｃａ）と、当該横遮断部（３ｃａ）の先端に続いて下向きに屈曲する縦遮断部（３ｃｂ）と、当該縦遮断部（３ｃｂ）に続いて前記横遮断部（３ｃａ）と段違いに存在し締結片（３ｂ）から離れる方向へ下り傾斜で外壁パネル（１）の外へ迫出すに足る長さ突出する水反し部（３ｃｃ）と、
当該水反し部（３ｃｃ）の先端に続いて下向きに屈曲する水切り部（３ｃｄ）を階段状に備え、
前記レール部（３ａａ）は、先端を折り返し重ねた補強部を備え、
前記水切り部（３ｃｄ）は、先端部をその屋内側へＶ字状に折り曲げた返り部（３ｃｅ）を備える水切り板。
【考案の詳細な説明】
【技術分野】
【０００１】
本考案は、外壁パネルの下端に配置し、外壁パネルと基礎との間への水の浸入を阻止する水切り板に関するものである。
【背景技術】
【０００２】
従来の水切り構造は、外壁パネルの下端を受けるスタータと、基礎の前面を覆う水切り板とを別体に構成し、水切り板をスタータと胴縁との間に挟むことによって固定していたので、屋内への雨水の浸入を許すことが少なくなかった。そこで、当該施工の便宜と、雨水等の浸入防止を図るべく、外壁パネルの下端部の端面にワンピースの水切り板を打入して受ける手法が紹介されていた。
【考案の概要】
【考案が解決しようとする課題】
【０００３】
しかし、外壁パネルの下端部をワンピースの水切り板で受ける手法において、端面の一部に水切り板を打入する手法では、パネルの割付が定まるに至るまでの位置決めをはじめとする作業の便宜や、作業手順を選択する際の柔軟性に欠けるという問題がある。
その他、外壁パネルの下端面に形成された凹溝に嵌まる係止部の強度を更に高めたいという要請と、水切り部の下端に水滴が留まることによる錆の発生を抑制したいという要請と、水切り板の製造工程をより容易にしたいと言う要請があった。
【０００４】
本考案は、上記実情に鑑みてなされたものであって、強度の向上及び耐食性の向上を図ることができ、且つ製造及び施工に関してより高い便宜が図られた構造を有する水切り板の提供を目的とする。
【課題を解決するための手段】
【０００５】
上記課題を解決するために成された本考案による水切り板は、前垂れ部と凹溝を備えた外壁パネルの下端を受けるベース片と、当該ベース片に続いて略直角に下方へ屈曲した締結片と、当該締結片に続いてベース片を有する側へ屈曲し下り傾斜する段状の排水水切り片とからなる。
【０００６】
水切り板は、ステンレス板、メッキ鋼板、アルミ板、銅板、緑青銅板、又はチタン板などの金属材料を裁断・曲げ加工してなる。
【０００７】
前記ベース片は、その先端から上向きに屈曲するレール部を備える。
一方、前記排水水切り片は、締結片からその傾斜方向へベース片上の外壁パネルの幅を超えない長さ突出する横遮断部と、当該横遮断部の先端に続いて下向きに屈曲する縦遮断部と、当該縦遮断部に続いて前記横遮断部と段違いに存在し締結片から離れる方向へ下り傾斜で外壁パネルの外へ迫出すに足る長さ突出する水反し部と、当該水反し部の先端に続いて下向きに屈曲する水切り部を階段状に備え、前記レール部は、先端を折り返し重ねた補強部を備え、前記水切り部は、先端部をその屋内側へＶ字状に折り曲げた返り部を備える。
【考案の効果】
【０００８】
本考案による水切り板を用いれば、ベース片にレール部を設けることによって、ベース片が胴縁に締結されるまでは、外壁パネルの端面に設けられた凹溝にレール部が余裕を持って係止され（図２又は図４参照）、パネルの割付が定まるに至るまでの位置決めをはじめとする作業の便や、作業手順を選択する際の柔軟性が高まる。
また、そのレール部は、先端側を二重に折り重ねてなることから、その強度が高められ、且つ部材の直線性が高まることとなる。
【０００９】
また、水切り部は、先端部をその屋内側へＶ字状に折り曲げてあることから、当該水切り部の先端が小さく丸みを帯びることとなり、単に切断したままとした場合や、先端が平坦になるよう曲げ成形した場合と比較して、先端における表面張力が抑制され、水切り部の下端に水滴が留まることを抑止する（水が切れ易くなる）。その結果、水切り部の先端部における錆の発生が抑制され、しかも、水切り板の曲げ成形の態様も簡素となり製造工程をより容易にすることができる。
以上により、水切り板について、強度の向上及び耐食性の向上を図ることができ、且つ製造及び施工に関してより高い便宜が図られた構造を有する水切り板の提供が可能となる。
【図面の簡単な説明】
【００１０】
【図１】本考案による水切り板の実施態様例を示す、（Ａ）は一部正面図であり、（Ｂ）は一部縦断面図である。
【図２】本考案による水切り板の実施態様例を示す、（Ａ）は一部正面図であり、（Ｂ）は一部縦断面図である。
【図３】本考案による水切り板の一例を示す側面図である。
【図４】本考案による水切り板の実施態様例を示す一部縦断面図である。
【考案を実施するための形態】
【００１１】
以下、本考案による水切り板の実施の形態を図面に基づいて説明する。
本考案は、下端面に前垂れ部１ａと凹溝１ｂを備えた外壁パネル１、例えば、表裏外皮材１ｃ，１ｄに発泡材等の断熱材を心材１ｅとして挟んだサンドイッチ構造であって、各々が躯体（胴縁２）に締結される外壁パネル１に用いられるものである。
【００１２】
この外壁パネル１を用いた外壁構造は、その左右上下の端面に、左右上下に隣接する外壁パネル１の端面が、シール材（図示省略）を介して凹凸の関係を以って嵌まり合う構造を有し、各外壁パネル１は、各々の上部をネジ釘（図示省略）で胴縁２に固定することを以って躯体に固定される。
本考案による水切り板は、当該外壁構造の最下位を下から受ける形となる様に躯体の胴縁２に装着される。
上記外壁構造が構築される際、前記前垂れ部１ａは、上下に隣接する外壁パネル１が嵌まりあった時に、下位に存在する外壁パネル１の上部を躯体（胴縁２）に固定する為のネジ釘の頭部を覆うこととなる。
【００１３】
図に示す例は、前垂れ部１ａと凹溝１ｂを備えた外壁パネル１の下端を受けるベース片３ａと、当該ベース片３ａに続いて略直角に下方へ屈曲した締結片３ｂと、当該締結片３ｂに続いてベース片３ａが存する側へ屈曲し下方へ傾斜する段状の排水水切り片３ｃとからなる鋼板製の水切り板３である（図３参照）。
【００１４】
前記ベース片３ａは、その先端から上向きに屈曲するレール部３ａａを備える。
当該例におけるレール部３ａａは、ベース片３ａの先端若しくは中間部から、垂直に又はベース片３ａ側に傾斜して曲げ上げられ、その先端部を折り重ねて補強を施したものである。締結片３ｂが胴縁２にネジ釘４等の固定具で仮止めされた状態においては、外壁パネル１に対し当該レール部３ａａに沿った摺動を許容しつつ（図２参照）、締結片３ｂが胴縁２に完全に締結された際には、当該レール部３ａａが外壁パネル１の凹溝１ｂに係り外壁パネル１の下端を胴縁２に引き寄せることによって、当該外壁パネル１の胴縁２への定着を維持すると共に、前記外壁パネル１のレール部３ａａに沿った摺動を抑制するものである（図１参照）。
【００１５】
従って、当該水切り板３の締結片３ｂからベース片３ａ及びそのレール部３ａａには、外壁パネル１を胴縁２に締結するに足る強度が必要である。
必要に応じて締結片３ｂとベース片３ａとの角度を直角より数度から十数度開いた鈍角とし（図４参照）、締結片３ｂを胴縁２に完全に締結する際の外壁パネル１との関係による加圧を以って、締結片３ｂとベース片３ａとが弾性的に略直角となる様な水切り板３としても良い。
【００１６】
前記排水水切り片３ｃは、締結片３ｂからその傾斜方向へベース片３ａ上の外壁パネル１の幅を超えない長さ突出する横遮断部３ｃａと、当該横遮断部３ｃａの先端に続いて下向きに屈曲し基礎５の上端前縁部に向う縦遮断部３ｃｂと、当該縦遮断部３ｃｂに続いて前記横遮断部３ｃａと段違いに存在し、前記排水水切り片３ｃの傾斜方向（締結片３ｂから離れる方向）へ下り傾斜で外壁パネル１の外へ迫出すに足る長さ突出する水反し部３ｃｃと、当該水反し部３ｃｃの先端に続いて下向きに曲げられた略垂下する水切り部３ｃｄを階段状に備え、前記水切り部３ｃｄは、先端部をその屋内側へＶ字状に折り曲げた返り部３ｃｅを備える。
【００１７】
本考案による水切り板は以上の如く構成され、横遮断部３ｃａは、外壁構造の最下位に配置された外壁パネル１における前垂れ部１ａの裏面に、接触又は近接する位置にまで迫出し、水切り部３ｃｄの裏側へ吹き込んだ雨水を前垂れ部１ａの裏側で遮断し、縦遮断部３ｃｂは、胴縁２と基礎５との隙間へ直接風雨が吹き込むことを防止する。
【００１８】
横遮断部３ｃａ、縦遮断部３ｃｂ、及び水反し部３ｃｃは、胴縁２と基礎５の境を覆うと共に、横遮断部３ｃａの下面、縦遮断部３ｃｂの裏面、及び水反し部３ｃｃの裏面、並びに水反し部３ｃｃの表面の各々に付着した水滴を、各々の傾斜又は下降に沿って外壁パネル１の外側に導く。
【００１９】
縦遮断部３ｃｂから垂れ落ちた水滴に対しては、基礎５の上端前縁部に、外壁パネル１の外側に向って下方へ傾斜する排水面５ａを設けることによって、水滴が基礎５の上に留まることを防止することができる。
【００２０】
また、躯体精度等の関係で躯体本体（胴縁２）から基礎５が予定外に迫出している際には、横遮断部３ｃａの傾斜に続く縦遮断部３ｃｂを締結片３ｂから遠ざかる方向へ下向きに傾斜させ、又は、水反し部３ｃｃの傾斜に続く水切り部３ｃｄを締結片３ｂから遠ざかる方向へ下向きに傾斜させることを以って対応することもできる。
【００２１】
水切り部３ｃｄは、胴縁２と基礎５の境から下方を、より広い範囲にわたって覆い、胴縁２と基礎５の隙間への風雨の吹き込みを防止する。
【符号の説明】
【００２２】
１  外壁パネル，１ａ  前垂れ部，１ｂ  凹溝，
１ｃ  表外皮材，１ｄ  裏外皮材，１ｅ  心材，
２  胴縁，
３  水切り板，
３ａ  ベース片，３ａａ  レール部，
３ｂ  締結片，
３ｃ  排水水切り片，３ｃａ  横遮断部，３ｃｂ  縦遮断部，３ｃｃ  水反し部，
３ｃｄ  水切り部，３ｃｅ  返り部，
４  ネジ釘，
５  基礎，５ａ  排水面，
【図１】
0003157883.tif 000003
【図２】
0003157883.tif 000004
【図３】
0003157883.tif 000005
【図４】
0003157883.tif 000006